(57)【要約】【課題】  簡単かつ安価に高輝度化を実現したフィルム観察装置を提供する。【解決手段】  本発明のフィルム観察装置（シャウカステン１）は、ハウジング３と、光源６と、拡散板２と、フィルム支持部４とを備えている。そして、拡散板２の発光観察面２ａとフィルム支持部４により支持されるフィルムＦとの間に、集光シートＳを介在させるようにした。集光シートＳは、着脱自在であることが好ましい。【選択図】      図２
2005062351.tif 000002
【特許請求の範囲】
【請求項１】
少なくとも一面に開口を有するハウジングと、
前記ハウジング内に収容された光源と、
前記開口を塞ぐように配置され、前記光源からの光を出射する発光観察面を有する拡散板と、
前記発光観察面上に観察対象としてのフィルムを支持するフィルム支持部と、
前記フィルム支持部により支持されるフィルムと前記発光観察面との間に介在するように取り付けられている集光シートと、
を備えたことを特徴とするフィルム観察装置。
【請求項２】
前記集光シートが、着脱自在に取り付けられている請求項１記載のフィルム観察装置。
【請求項３】
前記集光シートは、前記発光観察面に取り付けて任意の観察視点から前記発光観察面の鉛直方向に向かって観察した際の輝度を１００％としたとき、当該観察視点から観察方向を前記発光観察面の水平方向に向けてずらした場合の輝度が７０％になる観察角度θが２０°以上である請求項１又は２記載のフィルム観察装置。
【請求項４】
前記集光シートは、前記発光観察面に取り付けて任意の観察視点から前記発光観察面の鉛直方向に向かって観察した際の輝度を１００％としたとき、当該観察視点から観察方向を前記発光観察面の水平方向に向けてずらした場合の輝度が７０％になる観察角度θが３６°以上である請求項１又は２記載のフィルム観察装置。
【請求項５】
前記集光シートは、少なくともレンズシートが透明シートで包装されてなる複合シートである請求項１〜４のいずれか一項に記載のフィルム観察装置。
【請求項６】
前記集光シートを構成する透明シートの周縁の少なくとも一部に、前記フィルム支持部により支持されるための耳部を有する請求項５記載のフィルム観察装置。
【請求項７】
フィルム観察装置の発光観察面に取り付けて用いられる集光シートであって、前記発光観察面に取り付けて任意の観察視点から前記発光観察面の鉛直方向に向かって観察した際の輝度を１００％としたとき、当該観察視点から観察方向を前記発光観察面の水平方向に向けてずらした場合の輝度が７０％になる観察角度θが２０°以上であることを特徴とするフィルム観察装置用集光シート。
【請求項８】
フィルム観察装置の発光観察面に取り付けて用いられる集光シートであって、少なくともレンズシートが透明シートで包装されてなることを特徴とするフィルム観察装置用集光シート。
【発明の詳細な説明】
【技術分野】
【０００１】
本発明は、シャウカステンなどのフィルム観察装置及びフィルム観察装置用集光シートに関する。
【背景技術】
【０００２】
フィルム観察装置としては、例えば、Ｘ線写真フィルムを観察するためのシャウカステンや、写真ネガを観察するためのものがある。かかるフィルム観察装置は、発光観察面にフィルムを重ねて当該フィルムの背後から光を照射させることで、フィルムを明りょうに観察することができる。
【０００３】
従来のシャウカステンには、輝度が３０００ｃｄ／ｍ２前後の通常タイプと、特に乳ガンなどの検査に用いられるＸ線写真フィルムのように暗くて影の判断が難しいものに使用される輝度が５０００ｃｄ／ｍ２以上の高輝度タイプ（マンモグラフィ）とがある。これらは、大抵、切り替えができないため、病院などでは２台用意しなければならないという問題がある。かかる問題を解消すべく、高輝度タイプで全てのフィルムを観察することも考えられるが、通常タイプで観察するフィルムを高輝度タイプのシャウカステンで観察すると、非常に眩しいために目が疲れるなどの欠点があるため、ほとんど共有化されていないのが実情である。
【０００４】
一方、切り替え可能なタイプとしては、高輝度タイプのシャウカステンの一部のランプを不灯にして通常タイプと同等の輝度にすることができるランプ部分点灯タイプと、高輝度タイプのシャウカステンのランプに出力制御により調光をかけることで通常タイプと同等の輝度にすることができる調光タイプとがある。
【０００５】
ところが、ランプ部分点灯タイプの場合、不灯にしているランプと点灯しているランプとの間で点灯時間の差が生じるため、短時間で高輝度使用時にランプムラが発生しやすくなるという問題がある。
また、調光タイプの場合、調光をかけるために出力レンジが５０〜１００％程度の調光が目安となるが、これを超える調光はランプのちらつき等が発生するために難しく、高輝度使用時と通常使用時の差をあまり取ることができないという問題がある。また、インバータの点灯回路が複雑になるため、コスト高になるという問題もある。さらに、高輝度タイプをベースとしているため、消費電力が大きくなり、ランプ交換時の交換費用も高くなるという問題もある。
さらに、ランプ部分点灯タイプ、調光タイプのいずれのタイプにおいても、高輝度タイプをベースとしているため、通常タイプに比べ価格が高く、また製造時から兼用タイプとして製造する必要があるため、既存の製品を兼用タイプにすることができなかった。
【０００６】
【特許文献１】特開昭５５−１６４８７８号公報
【特許文献２】特開２００２−１８９４５１号公報
【発明の開示】
【発明が解決しようとする課題】
【０００７】
本発明はこのような事情に鑑みなされたものであり、簡単かつ安価に高輝度化を実現したフィルム観察装置の提供をその目的とする。また、簡単かつ安価に高輝度化を実現することができるフィルム観察装置用集光シートの提供を目的とする。
【課題を解決するための手段】
【０００８】
本発明のフィルム観察装置は、少なくとも一面に開口を有するハウジングと、前記ハウジング内に収容された光源と、前記開口を塞ぐように配置され、前記光源からの光を出射する発光観察面を有する拡散板と、前記発光観察面上に観察対象としてのフィルムを支持するフィルム支持部と、前記フィルム支持部により支持されるフィルムと前記発光観察面との間に介在するように取り付けられている集光シートと、を備えたことを特徴とする。
【０００９】
上記の構成によれば、拡散板の発光観察面と観察対象であるフィルムとの間に集光シートを介在させているので、発光観察面から出射する光が低輝度であっても、集光シートにより集光されて、フィルムに達する光は高輝度となる。このため、高輝度でないと明瞭に観察できないフィルムを低輝度の光源を用いながらも明瞭に観察することができる。また、フィルムに達する光の輝度を同程度にするのに、より低輝度の光源で足りるため、消費電力を抑制することができ、その結果として省エネルギー化に寄与することができるという利点がある。さらに、既存の低輝度のフィルム観察装置に集光シートを取り付けるだけで、簡単に高輝度のフィルム観察装置を提供することができるという利点がある。
【００１０】
上記のフィルム観察装置において、前記集光シートが、着脱自在に取り付けられているのが好ましい。この場合、集光シートの着脱により高輝度と低輝度とを簡単に切り替えることができる。このため、１台のフィルム観察装置で、多くのフィルムを観察することができるという利点がある。特に、調光機能を有するフィルム観察装置の場合、当該調光機能と着脱自在の集光シートとにより、非常に広範な輝度に調節できるため、より幅広い用途のフィルム観察装置を提供できるという利点がある。
【００１１】
上記のフィルム観察装置において、前記集光シートは、前記発光観察面に取り付けて任意の観察視点から前記発光観察面の鉛直方向に向かって観察した際の輝度を１００％としたとき、当該観察視点から観察方向を前記発光観察面の水平方向に向けてずらした場合の輝度が７０％になる観察角度θが２０°以上であるのが好ましい。この場合、複数の観察者が同時にＸ線写真フィルムなどのフィルムを観察しても殆ど同じように観察することができる。
【００１２】
上記のフィルム観察装置において、前記集光シートは、前記発光観察面に取り付けて任意の観察視点から前記発光観察面の鉛直方向に向かって観察した際の輝度を１００％としたとき、当該観察視点から観察方向を前記発光観察面の水平方向に向けてずらした場合の輝度が７０％になる観察角度θが３６°以上であるのが好ましい。この場合、発光観察面が大面積である場合などにおいて、複数の観察者が同時に観察するのに適したフィルム観察装置となる。
【００１３】
上記のフィルム観察装置において、前記集光シートは、少なくともレンズシートが透明シートで包装されてなる複合シートであるのが好ましい。この場合、確実にレンズシートにより集光されて高輝度化を実現することができる。また、レンズシートが透明シートで保護されるため、レンズ溝などが潰れたりして均一な光を出射できないといったことも有効に防止される。
【００１４】
上記のフィルム観察装置において、前記集光シートを構成する透明シートの周縁の少なくとも一部に、前記フィルム支持部により支持されるための耳部を有するのが好ましい。この場合、集光シートの耳部をフィルム観察装置のフィルム支持部に挿入するだけで、非常に簡単に高輝度のフィルム観察装置を提供することができる。
【００１５】
本発明のフィルム観察装置用集光シートは、フィルム観察装置の発光観察面に取り付けて用いられる集光シートであって、前記発光観察面に取り付けて任意の観察視点から前記発光観察面の鉛直方向に向かって観察した際の輝度を１００％としたとき、当該観察視点から観察方向を前記発光観察面の水平方向に向けてずらした場合の輝度が７０％になる観察角度θが２０°以上であることを特徴とする。
上記の構成によれば、既存の低輝度のシャウカステンなどのフィルム観察装置の発光観察面に取り付けることにより、簡単かつ安価に高輝度タイプのフィルム観察装置にすることができる。特に、着脱自在に取り付ける場合には、簡単に、低輝度と高輝度の兼用タイプのフィルム観察装置とすることができる。
【００１６】
本発明のフィルム観察装置用集光シートは、フィルム観察装置の発光観察面に取り付けて用いられる集光シートであって、少なくともレンズシートが透明シートで包装されてなることを特徴とする。
上記の構成によれば、既存の低輝度のシャウカステンなどのフィルム観察装置の観察面に取り付けることにより、簡単かつ安価に高輝度タイプのフィルム観察装置とすることができる。特に、着脱自在に取り付ける場合には、簡単に、低輝度と高輝度の兼用タイプのフィルム観察装置とすることができる。
【発明の効果】
【００１７】
本発明のフィルム観察装置によれば、発光観察面と観察対象であるフィルムとの間に集光シートを介在させるだけで、簡単かつ安価にフィルム観察装置の高輝度化を実現することができる。
また、本発明のフィルム観察装置用集光シートによれば、既存の低輝度のシャウカステンなどのフィルム観察装置に取り付けるだけで、簡単かつ安価に高輝度なフィルム観察装置とすることができる。
【発明を実施するための最良の形態】
【００１８】
以下、本発明の好ましい実施形態について図面を参照しながら説明する。図１は本発明のフィルム観察装置の一実施形態に係るシャウカステン１を示す正面図であり、図２はその断面図である。
本形態に係るシャウカステン１は、Ｘ線写真フィルム（以下単に「フィルム」ともいう）Ｆを観察するために用いられるものであり、正面に開口を有する箱形のハウジング３と、このハウジング３内に収容された光源６と、前記開口を塞ぐ発光観察面２ａを有する拡散板２と、正面上部に形成されたフィルム支持部４と、このフィルム支持部４と観察対象であるフィルムＦとの間に介在するように取り付けられた集光シートＳとを備えている。なお、このシャウカステン１は、通常、前記拡散板２が観察者（医師、患者等）と正対するようにハウジング３が起立した状態で使用・設置される。
【００１９】
図２を参照して、ハウジング３は、例えば金属（鉄、ＳＵＳ４３０等）製であり、矩形状の底面３ａと、底面３ａの下端から正面側へ延設された下側面３ｂと、底面３ａの上端から正面側へ延設された上側面３ｃと、底面３ａの左右両端からそれぞれ正面側へ延設された左右側面（図示せず）とを有し、正面開口状の箱形に形成されている。なお、底面３ａなどには反射処理が施されて、光源６からの光を反射する反射面とされており、光源６からの光を有効に利用できるようになっている。
【００２０】
光源６は、拡散板２の背後に配置され発光観察面２ａに向かって光を照射するものである。光源６としては、長手方向両端に電極を有する冷陰極管蛍光ランプなどの線状光源６ａが用いられ、複数本（例えば１２本）のランプ６ａが１組となった光源ユニットとしてハウジング３内に収容されている。このようなユニット化により配設作業が簡便となる。ランプ６ａは、通常、白色系（昼白色、昼光色）で直径２０〜４０ｍｍ程度のものが用いられる。なお、光源ユニットには、図示しないインバータや直流電源などの公知の電気部品が接続されており、点灯・消灯といった動作を行えるよう構成されている。
【００２１】
拡散板２は、背後に設置された光源６からの光を拡散させて外部に均一化された光を出射することができるものである。拡散板２としては、例えば白色透明の合成樹脂（アクリル樹脂等）製またはガラス製の板状体（狭義の拡散板）の周縁にフレーム（図示せず）が取り付けられて構成されたものが用いられる。板状体の表面には、必要に応じてその縁部に塗装などによりマスクが施され、マスクされない部分（非マスク部分）が発光観察面２ａとなる。
【００２２】
フィルム支持部４は、フィルムＦ及び集光シートＳを発光観察面２ａ上に位置させるべく、これらを支持するものである。フィルム支持部４は、下方から差し込まれたフィルムＦ及び集光シートＳを挟み込んで保持するクリップ体であり、フィルム支持部４へのフィルムＦ及び集光シートＳの抜き差しにより、フィルムＦ及び集光シートＳの着脱を簡単かつ自在に行えるようになっている。具体的には、フィルム支持部４は、発光観察面２ａとの間にフィルムＦ及び集光シートＳが差し込まれる挿入口５が形成されるように設けられており、挿入口５にフィルムＦ及び集光シートＳが差し込まれると、フィルム支持部４の弾性力によって、フィルムＦ及び集光シート３を挟み込んで保持することができる。
【００２３】
集光シートＳは、発光観察面２ａに取り付けたとき、当該発光観察面２ａの鉛直方向（法線方向）に光を集めることができる単層または積層（複合）のシートである。例えば、表面（界面）にレンズ溝やレンチキュラー溝などのプリズム溝が形成されていたり、アクリル樹脂等を用いて透明ビーズコートが形成されていたりするものである。
図３を参照して、集光シートＳは、シャウカステン１の発光観察面２ａ上に配置した状態において、任意の観察視点Ａから発光観察面２ａの鉛直方向（法線方向）に向かって観察した場合（観察位置Ｂ）の輝度を１００％としたときに、発光観察面２ａの水平方向（図１のシャウカステン１の左右方向）に向かって観察方向をずらした場合（観察位置Ｃ）の輝度が７０％になる観察角度θが２０°以上のものが好ましい。すなわち、観察方向を鉛直方向から徐々にずらしていくと輝度が低下していくが、その輝度が鉛直方向の７０％になるときの観察角度θが２０°以上であることが好ましい。なぜなら、観察角度θが２０°以上であれば、複数の観察者（医師、患者等）が横に並んで、例えばＸ線写真フィルムＦの半切り（３５６×４３２ｍｍ）を５０ｃｍ離れて観察しても略同じように観察することができるからである。但し、観察角度θがあまりに大きすぎると、集光シートＳにより集光が充分に行われておらず、高輝度化を充分に実現することができないおそれがあるため、観察角度θは２０〜５０°程度の範囲内であることが好ましい。なお、発光観察面２ａが大面積である場合などには、上記観察角度θが３６°以上の集光シートＳが好ましく、特に好ましくは３６〜７０°の範囲内の集光シートＳである。
【００２４】
上記集光シートＳとしては、例えば、図４（ａ）及び（ｂ）に示すように、拡散シート１２とレンズシート１１とを重ねた積層シートを１枚の透明シート１３で包装し、周囲をシールして耳部１４を形成するようにした複合シートがあげられる。このシートを構成する拡散シート１２と発光観察面２とが対向するように発光観察面２上に配置すると、発光観察面２からの光が拡散シート１２に進入することにより当該光が拡散されてより均一化し、さらにその光がレンズシート１１に進入すると集光されることとなる。また、耳部１４を有しているので、この耳部１４をフィルム支持部４に挿入することで、集光シートＳを着脱自在に配置することができる。ここで、上記構成の集光シートＳは、レンズシート１１のレンズ溝の溝方向が横方向（水平方向、図１の左右方向）になるように発光観察面２上に配置するのが好ましい。レンズ溝は光の集光特性が強いため、縦方向（図１の上下方向）に配置すると、横方向（図１の左右方向）に明るさのムラが発生しやすく、複数の観察者が同時に観察する際に支障ができるおそれがあるからである。
【００２５】
集光シートＳの大きさは、観察対象であるフィルムＦと略同等の大きさであるのが好ましい。フィルムＦに比べて大きすぎると、集光シートＳにより集光された光がフィルムＦを透過することなく直接観察者に達して非常に眩しく目が疲れるなどの問題が発生するおそれがあるからである。一方、フィルムＦに比べて小さすぎると、フィルムＦの縁部の観察に支障を来すおそれがあるからである。なお、図１では、集光シートＳの方が若干大きい場合を示している。
【００２６】
上記のように構成された本形態に係るシャウカステン１は、観察対象であるフィルムＦと発光観察面２ａとの間に集光シートＳを介在させているので、発光観察面２ａから出射した光を集光シートＳにより集光することができる。そのため、フィルムＦの背後からの光量が大きくなり、その結果として、観察者は、フィルムＦを明瞭に観察することができる。また、フィルムＦに達する光の輝度を同程度にするのに、より低輝度の光源６で足りるため、消費電力を抑制することができ、その結果として省エネルギー化に寄与することができるという利点がある。さらに、既存の低輝度のシャウカステンに集光シートを取り付けるだけで、簡単に高輝度のシャウカステンを提供することができるいう利点がある。
【００２７】
ここで、本発明者は、輝度３５００ｃｄ／ｍ２の通常のシャウカステンを用い、２種の集光シートを用いてフィルムとともにフィルム支持部に挟み込んで検証試験を行ったところ、ＢＳ−３００（恵和社製）を２枚重ねた集光シートでは輝度が４９３５ｃｄ／ｍ２となって４１％上昇し、ＢＳ−３００（恵和社製）とＢＥＦ（II）９０／５０（３Ｍ社製）とを重ねた集光シートでは輝度が６０９０ｃｄ／ｍ２となって７４％上昇し、それぞれ簡単に高輝度化を実現できたことを確認している。
また、本発明者は、輝度３０００〜６０００ｃｄ／ｍ２の間で調光可能なシャウカステンを用い、２種の集光シートを用いてフィルムとともにフィルム支持部に挟み込んで検証試験を行ったところ、ＢＳ−３００（恵和社製）を２枚重ねた集光シートでは輝度３０００〜８５００ｃｄ／ｍ２の間で調光することができ、ＢＳ−３００（恵和社製）とＢＥＦ（II）９０／５０（３Ｍ社製）とを重ねた集光シートでは輝度３０００〜１０５００ｃｄ／ｍ２の間で調光することができたことを確認している。
【００２８】
図５は、本発明の第２の実施形態に係るシャウカステンを示す正面図である。かかるシャウカステン２１は、正面に、左右に２つの発光観察面２ｂ、２ｃを有しており、左側の発光観察面２ｂは低輝度に設定されており、右側の発光観察面２ｃには集光シートＳが当該発光観察面２ｃの右辺と下辺の外側に配設されたマグネットにより着脱自在に取り付けられて高輝度に設定されているものである。このような構成にすると、左右の発光観察面２ｂ、２ｃの背後側には同じ低輝度の光源を用いながら、低輝度と高輝度のシャウカステンを提供することができる。なお、上記実施形態において、集光シートＳは着脱自在に取り付け可能であることから、必要に応じて、左右両方とも低輝度に、あるいは左右両方とも高輝度にすることができるという利点もある。
【００２９】
なお、上記では、集光シートＳをフィルムＦとともにフィルム支持部４で着脱自在に取り付ける形態（第１の実施形態）と、集光シートＳをマグネットで着脱自在に取り付ける形態（第２の実施形態）を説明したが、本発明はこれに限定するものではない。例えば、第１の実施形態においてマグネットを用いて着脱自在に取り付けてもよいし、第２の実施形態において集光シートＳをフィルムＦとともにフィルム支持部４で着脱自在に取り付けるようにしてもよい。また、フィルム支持部４やマグネット以外にも、ネジ、糊などの各種の取り付け部材で着脱自在に取り付けるようにしてもよい。また、嵌合などの各種の取り付け方法により着脱自在に取り付けるようにしてもよい。さらに、複数枚のフィルムＦを並べることができる発光観察面を有するタイプにおいて、発光観察面の一部のみを高輝度化すべく、集光シートＳを着脱自在に取り付けるようにしてもよい。なお、本発明は、集光シートＳを着脱自在に取り付ける場合に限定するものではなく、着脱不能に固定した状態で取り付けるようにしてもよい。そして、本発明は、シャウカステンに限らず、写真ネガを観察するためのものなどにも適用することができる。
【図面の簡単な説明】
【００３０】
【図１】本発明の第１の実施形態に係るシャウカステンの正面図である。
【図２】図１の断面図である。
【図３】集光シートの一例を説明するための断面図である。
【図４】（ａ）は集光シートの一例を示す平面図であり、（ｂ）はそのＸ−Ｘ断面図である。
【図５】本発明の第２の実施形態に係るシャウカステンの正面図である。
【符号の説明】
【００３１】
１    シャウカステン（フィルム観察装置）
２    拡散板
２ａ  発光観察面
３    ハウジング
４    フィルム支持部
６    光源
Ｆ    Ｘ線写真フィルム
Ｓ    集光シート
【図１】
2005062351.tif 000003
【図２】
2005062351.tif 000004
【図３】
2005062351.tif 000005
【図４】
2005062351.tif 000006
【図５】
2005062351.tif 000007